(57)【特許請求の範囲】
【請求項１】
水栓本体の固定部は、底面を洗面台又は流し台等の傾斜した天板の傾斜面に合わせて略同一の角度で傾斜させ、前記固定部の下部に形成した雄ねじ部を天板に穿設した取付孔に挿通し、天板の裏側から固定ナットを雄ねじ部に螺着することにより水栓本体を垂直方向に固定し、湯水を吐出する吐水具を水平方向に回転自在とした水栓金具の取付構造において、前記天板の取付孔は傾斜面に対し垂直方向に穿設し、水栓本体の雄ねじ部は取付孔を挿通する中心線を取付孔の中心線と同一方向にしたことを特徴とする水栓金具の取付構造。
【請求項２】
水栓本体の固定部は、底面を洗面台又は流し台等の傾斜した天板の傾斜面に合わせて略同一の角度で傾斜させ、前記固定部の下部に垂設したボルトを天板に穿設した取付孔に挿通し、天板の裏側から座金にボルトを挿通し、ナットをボルトに螺着することにより座金を天板の裏側から取付孔周縁に密着させて水栓本体を垂直方向に固定し、湯水を吐出する吐水具を水平方向に回転自在とした水栓金具の取付構造において、前記天板の取付孔は傾斜面に対し垂直方向に穿設し、前記ボルトは取付孔を貫通する中心線を取付孔の中心線と同一方向にしたことを特徴とする水栓金具の取付構造。
【発明の詳細な説明】
【０００１】
【発明の属する技術分野】
本発明は、水栓金具を洗面化粧台又は流し台等の傾斜した天板に取り付ける構造に関するものである。
【０００２】
【従来の技術】
従来、水栓金具を取り付ける洗面化粧台又は流し台等の天板を前方に設けた洗面ボウルに向かって下方へ傾斜させることで、天板上にふりかかった水滴を洗面ボウルへ流れ落ちるようにしたものが公知であるが、この水栓金具の取付構造は図８に示す通りである。この図８について簡単に説明すると、水栓本体３３の下部に形成された雄ねじ部３４を傾斜した天板３１に垂直方向に穿設した取付孔３２に挿通し、天板３１の下部から取付孔３２周縁に合わせて、上部を傾斜して切り欠いた円筒状で合成樹脂材からなるスペーサー３５を介して、固定ナット３６を水栓本体３３の雄ねじ部３４に螺着することで、傾斜した天板３１に対し水栓本体３３は垂直方向となるように取り付け、湯水を吐出する吐水具３４は水平方向に回転可能としたものである。
【０００３】
このように傾斜した天板に対し水栓本体は垂直方向となるように取り付ける場合は、天板は傾斜していても取付孔は垂直方向に穿設するので、取付孔は天板が通常の水平方向である場合に比較して傾斜角が大きいほど大径になってしまい、取付孔を形成する作業が水平の天板に比較して面倒であるうえ、取付孔の寸法に合わせて水栓本体及び雄ねじ部を大型化せざるを得ないものであった。
【０００４】
また、スペーサーの上部は天板に合わせて傾斜して形成されているので、固定ナットをスペーサーの下部から螺着しても締付力がスペーサーを介して天板の取付孔周縁に対し均等に加えられず、水栓本体の天板に対する固定力が弱く、水栓本体がガタつくという問題があった。
【０００５】
【発明が解決しようとする課題】
本発明が解決しようとする課題は、洗面化粧台又は流し台等の傾斜した天板に水栓金具を取り付ける場合に、作業を容易かつ迅速に行えるようにし、しかも水栓金具は傾斜した天板に対し強固に固定できるようにすることである。
【０００６】
【課題を解決するための手段】
本発明は請求項１では、水栓本体の固定部は、底面を洗面台又は流し台等の傾斜した天板の傾斜面に合わせて略同一の角度で傾斜させ、前記固定部の下部に形成した雄ねじ部を天板に穿設した取付孔に挿通し、天板の裏側から固定ナットを雄ねじ部に螺着することにより水栓本体を垂直方向に固定し、湯水を吐出する吐水具を水平方向に回転自在とした水栓金具の取付構造において、前記天板の取付孔は傾斜面に対し垂直方向に穿設し、水栓本体の雄ねじ部は取付孔を挿通する中心線を取付孔の中心線と同一方向にしたものである。
【０００７】
また請求項２では、水栓本体の固定部は、底面を洗面台又は流し台等の傾斜した天板の傾斜面に合わせて略同一の角度で傾斜させ、前記固定部の下部に垂設したボルトを天板に穿設した取付孔に挿通し、天板の裏側から座金にボルトを挿通し、ナットをボルトに螺着することにより座金を天板の裏側から取付孔周縁に密着させて水栓本体を垂直方向に固定し、湯水を吐出する吐水具を水平方向に回転自在とした水栓金具の取付構造において、前記天板の取付孔は傾斜面に対し垂直方向に穿設し、前記ボルトは取付孔を貫通する中心線を取付孔の中心線と同一方向にしたものである。
【０００８】
【発明の実施の形態】
以下、本発明の実施の形態を図に基づいて詳細に説明する。
水栓金具の水栓本体４は洗面化粧台又は流し台等の前方へ向かって下方へ傾斜した天板１に取り付けて使用するものであり、図１及び図２に示すように下方に固定部５を天板１の傾斜面２に対し垂直となるように折曲させており、固定部５の底面６を天板１の傾斜面２に合わせて略同一の角度で傾斜させることで、湯水を吐出する吐水具８は水平方向に回転自在とすることができ、水栓本体４は垂直に立設するように天板１に取り付けられ、上部に設けられたレバー７の左右回転方向及び上下への操作によって湯水の温度及び流量を調節し、吐水具８の先端から湯水を外部へ供給できるシングルレバー式のものである。
【０００９】
前記固定部５の下部に固定部５より小径で同軸方向に一体に形成した円筒状の雄ねじ部９は、下端に給水源に連通する給水管１０及び給湯源に連通する給湯管１１を接続し、傾斜した天板１の傾斜面２に対して垂直方向に穿設した取付孔３の中心線Ｐは雄ねじ部９の中心線Ｑと同一方向であり、雄ねじ部９を取付孔３に上方から挿通し、天板１の裏側からパッキン１２を介し固定ナット１３を雄ねじ部９に螺着することで、固定ナット１３と固定部５で天板１を挟着し、傾斜した天板１に対し水栓本体４は垂直となるように固定している。
【００１０】
従って、本発明の水栓金具の取付構造においては、洗面化粧台又は流し台等の天板に穿設する取付孔は傾斜面に対して垂直方向であるので、天板の傾斜角度が大きくても取付孔の孔径は天板が平行である場合と同一とすることができ、取付孔を通常よりも大径とする必要がなく取付孔を穿設する作業が容易であるうえ、天板の取付孔と水栓本体の雄ねじ部は中心線を同一方向にしたものであり、固定ナットによる水栓本体の天板への取り付け時に固定ナットを天板に対し垂直方向に締結するので、締結力が天板の取付孔周縁に対し均等に加わり水栓本体を強固に固定することができ、ガタつくことがない。
【００１１】
図３は水栓金具の別の実施例で、水栓本体４ａは下方の固定部５ａを天板１の傾斜面２に対し垂直となるように折曲させており、固定部５ａの底面６ａを天板１の傾斜面２に合わせて略同一の角度で傾斜させることで、垂直に立設するように取り付けられ、水平方向に回転自在の吐水具８ａから湯水を吐水するのみであり、天板１の取付孔３の中心線Ｐと固定部５ａの下部に形成した雄ねじ部９ａの中心線Ｑは同一方向であり、水栓本体４ａと離れた位置に取り付けた湯水混合部（図示省略）により湯水の温度及び流量を調節し、連結管１４により湯水を湯水混合部から水栓本体４ａに供給している。
【００１２】
この実施例でも水栓本体４ａの雄ねじ部９ａの中心線Ｐは傾斜した天板１の傾斜面２に対して垂直方向に穿設した取付孔３の中心線Ｑと同一方向であり、雄ねじ部９ａを取付孔３に上方から挿通し、天板１の裏側からパッキン１２ａを介し固定ナット１３ａを雄ねじ部９ａに螺着することで、傾斜した天板１に対し水栓本体４ａは垂直となるように固定している。従って、天板の取付孔を穿設する作業が容易であるうえ、水栓本体を強固に固定することができる。
【００１３】
また図４の実施例では、水栓金具の水栓本体４ｂは前記実施例と同様に水平方向に回転自在の吐水具８ｂから湯水を吐水するのみであり、水栓本体４ｂを取り付ける天板１ａは後方に向かうにつれて下方へ傾斜させており、この傾斜面２ａに対して垂直方向に穿設した取付孔３ａの中心線Ｐと固定部５ｂの上部に形成した雄ねじ部９ｂの中心線Ｑは同一方向であり、雄ねじ部９ｂを取付孔３ａに下方から挿通し、固定部５ｂの底部６ｂを取付孔３ａの周縁に密着させ、天板１ａの裏側からパッキン１２ａを介し固定ナット１３ａを雄ねじ部９ｂに螺着することで、傾斜した天板１ａに対し水栓本体４ｂは垂直となるように固定している。
【００１４】
図５乃至図７の実施例は、水栓金具の水栓本体４ｃは固定部５ｃの下部に雄ねじ部を備えておらず、天板１の裏側から固定ナットに代えて略馬蹄形の座金１６を用いて水栓本体４ｃを固定するものであり、座金１６の内側に給水管１０及び給湯管１１を挿通する際に、長い給水管１０及び給湯管１１を先端から座金に挿通する必要がなく、施工を容易にしたものである。
【００１５】
この実施例では天板１は傾斜しているが水栓本体４ｃ及び固定部５ｃは垂直に立設するように天板１に取り付けられ、吐水具８ｃは水平方向に回転自在であり、固定部５ｃの下方の底面６ｃには傾斜方向に縦長のボルト１５を垂設し、該ボルト１５の中心線Ｒは傾斜した天板１の傾斜面２に対して垂直方向に穿設した取付孔３の中心線Ｐと同一方向で、天板１の裏側に突設している。
【００１６】
前記座金１６は周方向所定箇所に給水管１０及び給湯管１１を側方から挿通することができるように周縁から切欠いた切欠孔１７を形成し、該切欠孔１７と隣接して座金１６の中心から偏心した位置にボルトが挿通する貫通孔１８を穿設している。
【００１７】
従って、水栓本体４ｃの固定部５ｃを給水管１０及び給湯管１１が天板１の取付孔３に挿通するように天板１の傾斜面２に密着させると、ボルト１５は天板１の取付孔３から裏側に垂設し、座金１６の貫通孔１８にこのボルト１５を挿通し、切欠孔１７には給水管１０及び給湯管１１を側方から挿通し、ナット１９をボルト１５の下端から螺着することで座金１６は天板１に対し、取付孔３の中心線Ｐに対し同一方向の締結力が加わり、座金１６と水栓本体４ｃの固定部５ｃで天板１を挟着し、水栓本体４ｃは天板１に強固に固定されるものである。
【００１８】
以上本発明の実施例を詳述したが、水栓本体及び吐水具の構成については前記実施例に限定されるものではなく、水栓本体はサーモスタット式，２ハンドル式，その他の形式にも適用でき、また吐水具は先端に湯水を吐出する吐水ヘッドを着脱自在に支持し、該吐水ヘッドは吐水具内を挿通して湯水混合部に接続したシャワーホースと共に引き出して使用できるようにしたものでもよい。
【００１９】
【発明の効果】
本発明は請求項１では、水栓本体の固定部は、底面を洗面台又は流し台等の傾斜した天板の傾斜面に合わせて略同一の角度で傾斜させ、前記固定部の下部に形成した雄ねじ部を天板に穿設した取付孔に挿通し、天板の裏側から固定ナットを雄ねじ部に螺着することにより水栓本体を垂直方向に固定し、湯水を吐出する吐水具を水平方向に回転自在とした水栓金具の取付構造において、前記天板の取付孔は傾斜面に対し垂直方向に穿設し、水栓本体の雄ねじ部は取付孔を挿通する中心線を取付孔の中心線と同一方向にした。また請求項２では、水栓本体の固定部は、底面を洗面台又は流し台等の傾斜した天板の傾斜面に合わせて略同一の角度で傾斜させ、前記固定部の下部に垂設したボルトを天板に穿設した取付孔に挿通し、天板の裏側から座金にボルトを挿通し、ナットをボルトに螺着することにより座金を天板の裏側から取付孔周縁に密着させて水栓本体を垂直方向に固定し、湯水を吐出する吐水具を水平方向に回転自在とした水栓金具の取付構造において、前記天板の取付孔は傾斜面に対し垂直方向に穿設し、前記ボルトは取付孔を貫通する中心線を取付孔の中心線と同一方向にした。従って、天板の傾斜角度が大きくても取付孔の孔径は天板が平行である場合と同一とすることができ、取付孔を通常よりも大径とする必要がなく、取付孔を穿設する作業が容易であるうえ、請求項１では天板の取付孔と水栓本体の雄ねじ部は中心線を同一方向にし、請求項２ではボルトは取付孔を貫通する中心線を取付孔の中心線と同一方向にしたので、水栓本体の天板への取り付け時に固定ナットまたは座金を天板に対し垂直方向に締結するので、締結力が天板に対し均等に加わり水栓本体を強固に固定することができ、ガタつくことがない。
【図面の簡単な説明】
【図１】本発明の水栓金具を傾斜した天板に取り付けた状態の要部縦断面図である。
【図２】図１の水栓金具を天板に取り付ける状態の説明図である。
【図３】別の実施例の水栓金具を傾斜した天板に取り付けた状態の要部縦断面図である。
【図４】更に別の実施例の水栓金具を傾斜した天板に取り付けた状態の要部縦断面図である。
【図５】更に別の実施例の水栓金具を傾斜した天板に取り付けた状態の要部縦断面図である。
【図６】図５の水栓金具を天板に取り付ける状態の説明図である。
【図７】図５の水栓金具の天板への取付状態の下方からの斜視図である。
【図８】従来技術の説明図である。
【符号の説明】
１，１ａ                天板
２，２ａ                傾斜面
３，３ａ                取付孔
４，４ａ，４ｂ，４ｃ    水栓本体
５，５ａ，５ｂ，５ｃ    固定部
６，６ａ，６ｂ，６ｃ    底面
８，８ａ，８ｂ，８ｃ    吐水具
９，９ａ，９ｂ          雄ねじ部
１３，１３ａ            固定ナット
１５                    ボルト
１６                    座金
１９                    ナット
Ｐ                      取付孔の中心線
Ｑ                      雄ねじ部の中心線
Ｒ                      ボルトの中心線
【図１】
0004208163.tif 000002
【図２】
0004208163.tif 000003
【図３】
0004208163.tif 000004
【図４】
0004208163.tif 000005
【図５】
0004208163.tif 000006
【図６】
0004208163.tif 000007
【図７】
0004208163.tif 000008
【図８】
0004208163.tif 000009